(57)【要約】【課題】  電気代の少ない冷蔵庫を提供することを目的とする。また、製氷室を開けたときに給水タンク内の水量が確認できるようにすることを目的とする。また、安価に製氷室を照射できる冷蔵庫を提供することを目的とする。【解決手段】  氷を製氷する製氷室と、製氷室の上方に配置された冷蔵室や野菜室などの貯蔵室と、貯蔵室内に設けられ、貯蔵室内を照射する光発生手段と、を備え、貯蔵室と前記製氷室との間の仕切壁の少なくとも一部を光透過材で構成し、光発生手段の光によって製氷室を照射するようにした。【選択図】        図２
2005351540.tif 000002
【特許請求の範囲】
【請求項１】
氷を製氷する製氷室と、前記製氷室の上方に配置された冷蔵室や野菜室などの貯蔵室と、前記貯蔵室内に設けられ、前記貯蔵室内を照射する光発生手段と、を備え、前記貯蔵室と前記製氷室との間の仕切壁の少なくとも一部を光透過材で構成し、前記光発生手段の光によって前記製氷室を照射するようにしたことを特徴とする冷凍冷蔵庫。
【請求項２】
水を貯水する給水タンクと、前記仕切壁に設けられ、前記給水タンクを収納する給水タンク受部と、を備え、前記光発生手段より発生する光が前記製氷室に透過可能なように前記給水タンクあるいは給水タンク受部の少なくとも一部を光透過材で構成するようにしたことを特徴とする請求項１に記載の冷凍冷蔵庫。
【請求項３】
前記給水タンク、あるいは前記給水タンク受部の少なくとも一部が前記仕切壁に埋設するようにしたことを特徴とする請求項２に記載の冷凍冷蔵庫。
【請求項４】
氷を製氷する製氷室と、前記製氷室の上方に配置された冷蔵室や野菜室などの貯蔵室と、前記貯蔵室と前記製氷室との間に設けられた仕切壁と、前記仕切壁に収納され、水を貯水する給水タンクと、前記給水タンク近傍に設けられ、前記給水タンク内を照射する給水タンク光発生手段と、前記給水タンク光発生手段より発生する光が前記製氷室に透過可能なように前記給水タンクあるいは前記仕切壁の少なくとも一部を光透過材としたことを特徴とする冷凍冷蔵庫。
【請求項５】
前記給水タンク光発生手段の発生する光が紫外線であり、除菌作用を有することを特徴とする請求項４に記載の冷凍冷蔵庫。
【請求項６】
前記給水タンク光発生手段の発生する光が紫外線であり、前記給水タンク光発生手段から発せられる光が照射される部分の構成材料に蛍光増白剤を添加するようにしたことを特徴とする請求項４または請求項５に記載の冷凍冷蔵庫。
【請求項７】
前記製氷室は、引出し式あるいは回転式の扉を備え、前記製氷室の扉開時に前記光発生手段、あるいは前記給水タンク光発生手段を点灯するようにしたことを特徴とする請求項１至乃請求項６のいずれかに記載の冷凍冷蔵庫。
【請求項８】
前記給水タンクあるいは前記光透過材に前記給水タンク内の水量が確認できるような水位確認手段を設けたことを特徴とする請求項１至乃請求項７のいずれかに記載の冷凍冷蔵庫。
【請求項９】
前記光透過材近傍に加熱手段を設けるようにしたことを特徴とする請求項１至乃請求項８のいずれかに記載の冷凍冷蔵庫。
【発明の詳細な説明】
【技術分野】
【０００１】
本発明は、貯蔵物を冷却する冷蔵庫に関するものである。
【背景技術】
【０００２】
近年、家庭用冷凍冷蔵庫においては、冷蔵室内に給水タンクを設置するとともに、冷凍室内（もしくは製氷室内）には自動で製氷を行う自動製氷機を備えたものが普及している。
【０００３】
この場合、給水タンクは冷蔵室内に着脱自在に設けられ、給水タンクに給水する際には冷蔵室から給水タンクを取り出し、水道水を注水するものである。この給水タンク内の水道水は給水ポンプによって製氷皿へ送られ、冷凍室内（もしくは製氷室内）の冷却作用によって凍結する。そして、製氷皿にて製氷が完了した場合には、駆動装置によって製氷皿を回動させ、捻って離氷するとともに、製氷皿から落下した氷は受け皿に蓄えられる。
【０００４】
従来、給水タンクは冷蔵室に設置させられるのは、給水タンク内の水が凍結するのを防止するためである。したがって、給水タンク内の水量を確認するには冷蔵室を開けて確認するしかなかった。一方、水位センサなどの手段によって水量を判定しユーザに報知する方法もあるが、コストＵＰするという問題があった。
【０００５】
また、従来の冷凍冷蔵庫においては、冷蔵室と冷凍室が横に配置されており、庫内灯に対向する冷蔵室と冷凍室とを区画する仕切壁に貫通穴を設けて、この貫通穴の両開口部に透過性を有する遮蔽板を設け、庫内灯の光が前記貫通穴を通過して冷凍室を照らすものもある。（たとえば特許文献１参照）
【０００６】
【特許文献１】特開昭５９−１０７１８１号公報
【発明の開示】
【発明が解決しようとする課題】
【０００７】
しかしながら、特許文献１に示される冷蔵庫においては、冷凍室を照らす手段を冷蔵室に配置して安価に構成しているが、冷凍室あるいは製氷室から冷蔵室に配置される給水タンクの水位を確認することはできず、給水タンクの水量を確認するには冷蔵室を開けるしかなかった。したがって、給水タンクの水量を確認するためだけに冷蔵室を開けなければならず消費電力の浪費につながっていた。また、従来の冷蔵庫は、製氷室を照らすことができないので、夜中に製氷室から氷を取り出す場合には、部屋の照明をつける必要があり、無駄に点灯しなければならず、消費電力が浪費されていた。
【０００８】
この発明は、上記のような問題点を解決するためになされたもので、電気代の少ない冷蔵庫を提供することを目的とする。また、製氷室を開けたときに給水タンク内の水量が確認できるようにすることを目的とする。また、安価に製氷室を照射できる冷蔵庫を提供することを目的とする。また、製氷室の照明を安価に構成できる冷蔵庫を提供することを目的とする。
【課題を解決するための手段】
【０００９】
本発明は上述の問題点を解決するためになされたもので、氷を製氷する製氷室と、前記製氷室の上方に配置された冷蔵室や野菜室などの貯蔵室と、前記貯蔵室内に設けられ、前記貯蔵室内を照射する光発生手段と、を備え、前記貯蔵室と前記製氷室との間の仕切壁の少なくとも一部を光透過材で構成し、前記光発生手段の光によって前記製氷室を照射するようにしたものである。
【発明の効果】
【００１０】
この発明にかかる冷凍冷蔵庫によれば、製氷室を開けたときに、冷蔵室内を照射する照明や給水タンクを照射するための照明で、製氷室内を照射することができ、電気代が少なく効率的に製氷室を照射できる。また、製氷室を開けたときに、給水タンク内の水量を冷蔵室を開けなくても確認できる。また、製氷室の照明を他の貯蔵室の照明と共有できるので、製氷室の照明を安価に構成することができる。
【発明を実施するための最良の形態】
【００１１】
実施の形態１．
図１は、本発明の実施の形態１を示す冷蔵庫の概略図であり、図１（ａ）は正面図、図１（ｂ）は断面図である。図において、冷蔵庫１は外箱２と、内箱３と、これら外箱２と内箱３との間に充填された発泡断熱材４と、で形成された断熱箱体５を複数の貯蔵室に仕切り、それぞれの貯蔵室の開口部を開閉自在に閉塞する扉体を有している。
【００１２】
冷蔵庫１は上部に冷蔵室１１が設けられ、冷蔵室１１の下方には製氷室１２と切替室１３が並列に設けられている。また、製氷室１２と切替室１３の下方には野菜室１６が設けられ、野菜室１６の下方には冷凍室１８が仕切部材１４、１５、１７、１９によって仕切られている。そして、これらの貯蔵室１１、１２、１３、１６、１８は、その開口部をそれぞれ開閉自在に閉塞する冷蔵室扉体６、製氷室扉体７、切替室扉体８、野菜室扉体９、冷凍室扉体１０を有しており、引き出し式あるいは回転式の扉で構成される。
【００１３】
断熱箱体５を複数の貯蔵室に仕切る仕切部材１４、１５、１７、１９は、冷蔵室１１と製氷室１２及び切替室１３とを仕切る仕切部材１４と、製氷室１２と切替室１３とを仕切る仕切部材１５と、製氷室１２及び切替室１３と野菜室１６とを仕切る仕切部材１７と、野菜室１６と冷凍室１８とを仕切る仕切部材１９と、によって構成されている。
【００１４】
冷蔵室１１奥部（後方）には冷蔵室１１内を照射する光発生手段である庫内灯５７が設けられており、冷蔵室扉体６が開放されると点灯するようになっている。また、製氷室扉体７が開放されたときも庫内灯５７は点灯するようにしている。もちろん、製氷室扉体７の開放状態と光発生手段である庫内灯５７の点灯を関連つけなくてもよい。
【００１５】
冷蔵室１１内の下部の仕切部材１４には給水タンク２０が配置されている。給水タンク２０は冷蔵室１１と製氷室１２、切替室１３を仕切る仕切部材１４に少なくとも一部が埋設された状態で着脱可能に挿入されている。給水タンク２０を構成する材料は一部または全体が光透過材（あるいは透明材料）で構成されている。光透過材としては、たとえばガラスやメタクリル、ポリカーボネイト、ポリスチレンなどがあるが、コストを考慮した場合、ポリスチレンが適当である。給水タンク２０と野菜室１６の後方には、冷却室が形成され、冷却器２１及び庫内ファン２２が設置されている。冷却器室から冷蔵室１１への風路中には、冷気流量を調整する冷蔵室用ダンパ装置２３が設けられ、冷却器室から切替室１３への風路中には、切替室１３への冷気流量を調整する切替室用ダンパ装置２４とが設けられている。
【００１６】
冷蔵庫１には製氷室１２内の後方部に製氷コーナー２５が配設され、この製氷コーナー２５は、冷気が供給されることにより氷を製氷する製氷皿２６と、製氷皿２６をねじる事により製氷皿２６内の氷を貯氷箱３１内に離氷させる駆動装置２７と、製氷皿２６を支える外壁部材２８と、貯氷箱３１内の氷を検知する検氷レバー２９と、を備えている。給水タンク２０から製氷皿２６へは給水経路３０を介して水を供給する。また、製氷室１２内には、製氷皿２６の下方に氷を貯めておく貯氷箱３１が設置されている。
【００１７】
冷蔵室扉体６の表面には表示パネル３２が設けられており、表示パネル３２には製氷の開始・停止を行うための製氷オンオフスイッチ３３が設けられている。この製氷オンオフスイッチ３３をオンすることで製氷を開始させることができ、オフすることにより製氷を停止させることができる。
【００１８】
図２は本発明の実施の形態１を表す冷蔵庫の給水タンク近傍を上から見た図である。図３は、本発明の実施の形態１を示す冷蔵庫の給水タンク近傍の側断面図である。図４は、本発明の実施の形態１を示す冷蔵庫の給水タンク近傍の縦断面図である。図５は、本発明の実施の形態１を示す冷蔵庫の給水ポンプの分解図である。図６は本発明の実施の形態１を示す冷蔵庫の浄水フィルターの概略断面図である。図７は本発明の実施の形態１を示す冷蔵庫の窓部材の概略構成図である。図において、図１と同等部分は同一の符号を付して説明は省略する。
【００１９】
給水タンク２０は仕切部材１４に設けられた給水タンク受４９内に収納されており、給水タンク受４９に設けられたマグネットポンプモータ４３により給水タンク２０内に固定された給水ポンプ２０のマグネットインペラ４６を回転させることによって給水タンク２０内の水を製氷皿２６に供給する。給水ポンプ４０は、ポンプケース４７、浄水フィルター４１、蓋部材６３などによって構成され、給水タンク光発生手段３４によって給水タンク２０内が照射され、浄水フィルター４１、蓋部材６３も照射される。給水タンク２０内が給水タンク光発生手段３４により照射されることにより、給水タンク２０内が明るく照らされるので、仕切壁１４、給水タンク受４９に設けられた窓部材３７によって、給水タンク２０内の水位（水量）が確認できるように構成されている。
【００２０】
ここで、給水タンク２０は給水タンク受４９に給水タンク２０の大部分が埋まるように設置され、したがって、給水タンク２０は仕切部材１４のほぼ全体が埋設するように配置されている。給水タンク２０は給水タンク２０の蓋３９で閉塞されており、ごみなどが侵入しないようにしている。給水タンク２０の蓋３９の材料は全体または一部（少なくとも一部）が光透過材である透明材料で構成されている。
【００２１】
給水タンク受４９は冷蔵室１１と製氷室１２及び切替室１３の仕切部材１４にほぼ全体が埋設するように設置されている。給水タンク受４９にはマグネットポンプモーター４３が取付けられており、給水タンク２０内には給水ポンプ４０が設けられている。給水ポンプ４０はポンプケース４７内にマグネットインペラ４６を収納した状態でポンプカバー６１で被せる構造をしており、また、マグネットポンプモーター４３と給水ポンプ４０は、給水タンク受４９と給水タンク２０を挟んで対面に位置している（対向する位置に配置されている。）。すなわち、給水ポンプ４０には、給水パイプ３６に対して反対側の開口部にポンプカバー６１が被せられている。ポンプカバー６１には、浄水フィルター４１が収納できるような箱形形状をした収納部が形成されており、ポンプカバー６１は、この収納部内に浄水フィルター４１を収納して蓋部材６３にてポンプカバー６１を閉塞する構成としている。
【００２２】
給水ポンプ４０には給水パイプ３６が取付けられており、マグネットポンプモーター４３に通電することにより、給水ポンプ４０のポンプケース４７内に回動自在に設けられているマグネットインペラ４６が回転し、その作用により給水タンク２０内の水が浄水フィルター４１を通過しながら吸い上げられ給水パイプ３６の内部を通過して、給水経路３０を介して製氷皿２６へ供給される構造となっている。
【００２３】
ここで、蓋部材６３の材料はポリプロピレンなどで構成されており、この材料には蛍光増白剤が添加されている。もちろん、食品衛生法に適合するものである。この蛍光増白剤は、紫外線が照射されると青色に蛍光するものであり、本実施の形態では、給水タンク２０内に設けられた給水ポンプ４０の蓋部材６３や浄水フィルター４１などを照射する給水タンク光発生手段３４である発光ダイオードを備えており、この給水タンク光発生手段３４にて紫外線を発生させるようにすれば、蛍光増白剤が添加された蓋部材６３が青色に蛍光するので、意匠性に優れる冷蔵庫を得ることができる。また、全反射を利用することができるので、水面下において蓋部材６３は強く蛍光し、給水タンク２０内の残水量が確認しやすくなる。
【００２４】
図６に示すように、浄水フィルター４１は、活性炭シート５１を２枚の酸化チタンシート５０で挟むように配設し、全体を不織布５２で包み込むように加工されている。
【００２５】
活性炭シート５１は、活性炭繊維をシート状に加工したものであり、水道水中に含まれるにおいの元である塩素やトリハロメタンや、一般雑菌などを強力に吸着する機能を有している。
【００２６】
酸化チタンシート５０は、活性炭繊維に酸化チタンを胆持したものである。酸化チタンは光触媒の一種であり、光触媒は特定の波長を有する光を照射されると励起状態になり表面が強い酸化力を持つ。酸化チタンの場合、約３８０ｎｍの波長を有する紫外線を照射されることにより励起状態になり表面が強い酸化力を持つ。この酸化力により、水や酸素からラジカルが発生し、このラジカルが菌などを含む有機物を酸化還元反応で分解することで脱臭及び抗菌作用を発揮する。したがって、本実施の形態では、給水タンク光発生手段３４により、浄水フィルター４１を照射するようにしているので、給水タンク内の水に脱臭、抗菌作用が働き、いやな臭いがせず、雑菌などもいない衛生的な氷を製氷することのできる冷蔵庫を提供できる。また、光触媒の寿命は半永久的であるため、破損のない限り、浄水フィルタ−４１のメンテナンスの必要は生じにくいので、低コストで衛生的な冷蔵庫を提供できる。
【００２７】
また、給水タンク受４９には穴４９ａがあいており、そこには発光ダイオードカバー４４が取付けられている。発光ダイオードカバー４４は、光透過材で構成されており、材料は透明の樹脂であり、例えば透明ポリスチレンなどである。もちろん、メタクリルやポリカーボネイトでもよい。発光ダイオードカバー４４には給水タンク光発生手段３４が内蔵されており、紫外線を発生させることができる。給水タンク光発生手段３４は、約３８０ｎｍの波長の紫外線を発光する。
【００２８】
給水タンク受４９には、給水タンク２０の下面に対向する位置に加熱手段であるヒータ４５が設けられており、給水タンク２０内の水が製氷室１２の冷却により冷却されて凍結することを防止する役割を有している。３７は窓部材であり、冷蔵室と製氷室及び切替室の仕切部材１４に設けられている。窓部材３７は給水タンク２０内の水量などを確認するためのものであり、給水タンク内２０内が確認できる材料であればよく、透明材料が好ましく、例えば透明ポリスチレンなどが考えられる。もちろんガラスやポリカーボネイト、メタクリルなどでもよいがコストを考慮すると透明ポリスチレンが適当である。
【００２９】
冷蔵室１１と製氷室１２及び切替室１３との仕切部材１４は、仕切部材上部１４ｃ、仕切部材下部１４ａ、仕切部材断熱部１４ｂ１、仕切部材断熱部（小）１４ｂ２により構成されており、仕切部材上部１４ｃ及び仕切部材下部１４ａにより仕切部材断熱部１４ｂ１及び仕切部材断熱部（小）１４ｂ２が挟まれる合わせ構造となっている。給水タンク２０内を覗くための窓部材３７は、仕切部材下部１４ａに設けられた穴１４ｍに挿入され、仕切部材断熱部１４ｂ１の切り欠き部１４ｎを通って、給水タンク受４９の穴部４９ａに挿入され、ボルト５６などによって固定されている。この窓部材３７は、仕切部材断熱部１４ｂ１と仕切部材断熱部（小）１４ｂ２に挟まれるように設けられている。
【００３０】
窓部材３７と仕切部材下部１４ａの間にはパッキン前５４が設けられている。パッキン前側５４は窓部材３７と仕切部材１４ａの間の隙間から冷気漏れや水漏れするのを未然に防ぐためのものである。また、窓部材３７と給水タンク受４９の間にはパッキン中５５が設けられている。パッキン中５５は窓部材３７と給水タンク受４９間からの冷気漏れや水漏れを未然に防ぐためのものである。
【００３１】
パッキン前５４の材料はシリコンが好ましく、窓部材３７が透明であるという意匠性を考慮すると色は水色などの爽やかな色が好ましい。もちろん、ニトリルゴムでもよいが色が黒であるため、意匠性には優れないため目隠し用シールが必要となりコスト高になってしまう。一方、外側から覗いてもほとんどわからないパッキン中５５の材料はニトリルゴムでも構わない。窓部材３７には冷気吹出し口から影になる位置（冷気が直接かからない位置）に配置されているので直接冷気があたることはなく、また、光透過材や窓部材３７の近傍に加熱手段であるヒータ４５を設けるようにしており、ヒータ４５の熱が光透過材や窓部材３７にも伝わり光透過材や窓部材３７が凍結してしまうことはない。
【００３２】
窓部材３７は、給水タンク２０内の水位などが確認できる材料であればよく、透明が好ましく、また、給水タンクの蓋３９及び給水タンク２０も、少なくとも光が照射される部分は光を透過する光透過材で構成しているので、光発生手段である庫内灯５７の光が窓部材３７を透過して製氷室１２を照らすことができる。また、窓部材３７は透明かつ給水タンク２０は光透過材で透明なので製氷室を開放したときには、給水タンク２０を介して製氷室１２内が照射され、また、給水タンク２０が照射されているので、給水タンク２０内の残水量も確認できる。
【００３３】
次に図７を用いて仕切部材１４の構成について説明する。仕切部材下部１４ａに仕切部材断熱部１４ｂ１を嵌めこみ、断熱部材断熱部（小）１４ｂ２を仕切部材断熱部１４ｂ１に嵌めこむ。その後、仕切部材上部１４ｃを仕切部材１４ａに被せるように組立て、その後給水タンク受４９を仕切部材上部１４ｃに組み込む。その後、窓部材３７を仕切部材下部１４ａの穴に挿入するように組込み給水タンク受４９と２本のボルト（あるいはネジ）５６により締結する。窓部材３７にはパッキン前５４及びパッキン中５５が組まれている。尚、仕切部材断熱部（小）１４ｂ２は給水タンク２０内の水が凍結しないことを試験等で確認できれば、省略できるので無くても構わない。
【００３４】
図８は、本発明の実施の形態１を示す冷蔵庫の製氷室扉開放時の製氷室周辺の概略側断面図である。図において、図１〜図７と同等部分は同一の符号を付して説明は省略する。本実施の形態では、給水タンク２０が仕切部材１４を介して製氷室１２内に突出しているので、製氷室扉７を引出して開放すると仕切部材１４に設けられた窓部材３７が外部に露出され、外部から目視できるようになる。ここで、窓部材３７が透明であることから、窓部材３７をとおして給水タンク２０内の水量を目視することができるようになっている。
【００３５】
図９は、本発明の実施の形態１を示す冷蔵庫の窓部材周辺の概略正面図である。窓部材３７の窓部には水位確認手段である給水ライン３７ａが設けられており、この給水ラインａはユーザに給水を促す目安のラインである。例えば自動製氷１回分の水量しか残ってないときの水位の高さ位置に設けられている。したがって、製氷室１２の引出し扉７が引出されると外部から窓部材３７が目視できるので、冷蔵室１１を開放しなくても給水タンク２０内の水位が水位確認手段により確認でき、給水タンク２０に給水が必要かどうかが即座に分る。したがって、冷蔵室１１を開放して給水タンク２０内の水量を確認する必要がないので、無駄な電気代を使うことがなく、省エネルギーな冷蔵庫を提供できる。
【００３６】
このように構成された冷凍冷蔵庫１において、給水タンク２０に水道水が供給されて給水タンク受４９に収納されて自動製氷が開始されると、マグネットポンプモーター４３に通電されマグネットポンプモーター４３が回転し、同期して給水ポンプ４０のマグネットインペラ（羽根車）４６が回転し、その作用により給水タンク２０内の水が浄水フィルタ−４１を通過するように汲み上げられ、給水パイプ３６を介して給水経路３０を通過したのち、製氷皿２６に供給され、冷却器室から供給される冷気により冷却され製氷される。
【００３７】
また、給水タンク２０内の水道水などの水は、浄水フィルター４１を通過するときに、同時に活性炭シート５１も通過するので塩素も除去されて、カルキくささのないおいしい氷を製氷できる。さらに前述のように浄水フィルター４１には活性炭シート５１と酸化チタンシート５０も含有されており、水の中の一般雑菌は活性炭シート５１にて吸着され、給水タンク光発生手段である発光ダイオード３４より紫外線が酸化チタンシート５０に照射されることにより、活性炭シート５１に吸着された一般雑菌が分解され死滅する。そのため、浄水フィルター４１を通過した水は常に衛生的であり、結果として製氷された氷も衛生的な氷となる。また、発光ダイオード３４が点灯することにより給水タンク２０内が照射され、意匠性にも優れた効果も有する。
【００３８】
このように構成された冷凍冷蔵庫によれば、ユーザーが氷を取り出すために製氷室扉体７を開放したときにユーザーは氷を取り出すだけでなく、給水タンク２０内の残水量を確認することができる。したがって、従来の冷蔵庫では、冷蔵室扉体を開放させなければ給水タンク内の残水量を確認できなかったが、本実施の形態の冷蔵庫では、無駄な冷気の漏洩が無くなるので、消費電力の節約につながり、省エネルギーな冷蔵庫が得られる。また、製氷室扉体７の開放時に光発生手段である庫内灯５７が点灯するので、夜に冷蔵庫の設置してある部屋の照明をつけなくても、製氷室１２が照射されるので、ユーザーは容易に氷を取り出すことができる。
【００３９】
また、製氷室１２を照射するために照明を設けているわけでなく、冷蔵室１１の照明５７や給水タンク２０の照明３４を製氷室１２の照明に共用しているので、安価に製氷室照明を設けることができる。また、製氷室１２の照明を設けなくてもいいので、低コストの冷蔵庫を提供できる。また、製氷室扉体７の開放時に給水タンク光発生手段３４が点灯して蛍光増白剤が添加されている蓋部材６３が青く蛍光するので、製氷室１２をより明るく照らすことができると同時に給水タンク２０内の水面下がより青く光るので給水タンク２０内の残水量が見やすくなる。また、給水タンク２０内が青く蛍光するので、意匠性も向上する。
【００４０】
以上のように、本実施の形態では、氷を製氷する製氷室１２と、製氷室１２の上方に配置された冷蔵室や他の貯蔵室（たとえば野菜室）などの貯蔵室１１と、貯蔵室１１内に設けられ、貯蔵室１１内を照射する光発生手段５７と、を備え、貯蔵室１１と製氷室１２との間の仕切壁１４の少なくとも一部を光透過材で構成し、光発生手段５７の光によって製氷室１２を照射するようにしたので、製氷室１２を開けたときに、製氷室１２内が照射され、明るくなるので、冷蔵庫の設置してある部屋の照明を点灯する必要がなく、省エネルギーな冷蔵庫を提供できる。また、冷蔵室１１内を照射する照明５７で、製氷室１２内も照射することができ、電気代が少なく効率的に製氷室１２を照射できる。
【００４１】
また、水を貯水する給水タンク２０と、仕切壁１４に設けられ、給水タンク２０を収納する給水タンク受部４９と、を備え、光発生手段５７より発生する光が製氷室１２に透過可能なように給水タンク２０あるいは給水タンク受部４９の少なくとも一部を光透過材で構成するようにしたので、冷蔵室１１内を照射する照明５７で、給水タンク２０内や製氷室１２内も照射することができ、電気代が少なく効率的に製氷室１２を照射できる。
【００４２】
また、給水タンク２０、あるいは給水タンク受部４９の少なくとも一部が仕切壁に埋設するようにしたので、貯蔵室である冷蔵室の内容積を大きくでき、使い勝手の良い冷蔵庫が得られる。
【００４３】
また、氷を製氷する製氷室１２と、製氷室１２の上方に配置された冷蔵室や野菜室などの貯蔵室１１と、貯蔵室１１と製氷室１２との間に設けられた仕切壁１４と、仕切壁１４に収納され、水を貯水する給水タンク２０と、給水タンク２０の近傍に設けられ、給水タンク２０内を照射する給水タンク光発生手３４段と、給水タンク光発生手段３４より発生する光が製氷室１２に透過可能なように給水タンク２０あるいは仕切壁１４の少なくとも一部を光透過材としたので、冷蔵室１１内を照射する照明５７だけでなく給水タンク２０内を照射するための照明３４でも、製氷室１２内も照射することができ、電気代が少なく効率的に製氷室１２を照射できる。
【図面の簡単な説明】
【００４４】
【図１】本発明の実施形態１を表す冷蔵庫の概略図である。
【図２】本発明の実施の形態１を表す冷蔵庫の給水タンク近傍を上から見た図である。
【図３】本発明の実施の形態１を示す冷蔵庫の給水タンク近傍の側断面図である。
【図４】本発明の実施の形態１を示す冷蔵庫の給水タンク近傍の縦断面図である。
【図５】本発明の実施の形態１を示す冷蔵庫の給水ポンプの分解図である。
【図６】本発明の実施の形態１を示す冷蔵庫の浄水フィルターの概略断面図である。
【図７】本発明の実施の形態１を示す冷蔵庫の窓部材の概略構成図である。
【図８】本発明の実施の形態１を示す冷蔵庫の製氷室扉開放時の製氷室周辺の概略側断面図である。
【図９】本発明の実施の形態１を示す冷蔵庫の窓部材周辺の概略正面図である。
【符号の説明】
【００４５】
１  冷蔵庫、２  外箱、３  内箱、４  発泡断熱材、５  断熱箱体、６  冷蔵室扉体、７  製氷室扉体、８  切替室扉体、９  野菜室扉体、１０  冷凍室扉体、１１  冷蔵室、１２  製氷室、１３  切替室、１４、１５  仕切部材、１６  野菜室、１７  仕切部材、１８  冷凍室、１９  仕切部材、２０  給水タンク、２１  冷却器、２２  庫内ファン、２３  冷蔵室用ダンパ装置、２４  切替室用ダンパ装置、２５  製氷コーナー、２６  製氷皿、２７  製氷駆動装置、２８  製氷コーナー外壁部材、２９  検氷レバー、３０  給水経路、３１  貯氷箱、３２  表示パネル、３３  製氷オンオフスイッチ、３４  給水タンク光発生手段、３６  給水パイプ、３７  窓部材、３７ａ  給水ライン、３８  仕切部材、３９  給水タンクの蓋、４０  給水ポンプ、４１  浄水フィルター、４３  マグネットポンプモーター、４４  発光ダイオードカバー、４５  ヒータ、４６  マグネットインペラ、４７  ポンプケース、４９  給水タンク受、５０  酸化チタンシート、５１  活性炭シート、５２  不織布、５４  パッキン前、５５  パッキン中、５６  ネジ、５７  光発生手段、６１  ポンプカバー、６３  蓋部材。
【図１】
2005351540.tif 000003
【図２】
2005351540.tif 000004
【図３】
2005351540.tif 000005
【図４】
2005351540.tif 000006
【図５】
2005351540.tif 000007
【図６】
2005351540.tif 000008
【図７】
2005351540.tif 000009
【図８】
2005351540.tif 000010
【図９】
2005351540.tif 000011